(57)【特許請求の範囲】
【請求項１】
透明な材料で形成された表示部材と、
前記表示部材の裏面側に貼着されたシートとを有し、
前記シートは、
透明なフィルム材と、
前記フィルム材の表面側に濃色で印刷された表示内容と、
前記表示内容を覆ってフィルム材の表面側に印刷された表示板の地色と、
前記地色の上に、前記表示内容の色彩と異なる淡色で前記表示内容と重ね合わせて印刷された表示内容とを備え、
光源の非点灯時に、淡色で印刷された前記表示内容が前記表示部材を通して視認でき、
光源の点灯時に、濃色で印刷された前記表示内容が前記表示部材を通して視認できることを特徴とする透過照明型表示板。
【請求項２】
透明な材料で形成された表示部材と、
前記表示部材の裏面側に貼着されたシートとを有し、
前記シートは、
透明な第１のフィルム材と、
前記第１のフィルム材の表面側に印刷された表示板の地色と、
前記地色の上に淡色で印刷された表示内容と、
前記第１のフィルム材の裏面側に貼着された第２のフィルム材と、
前記第２のフィルム材の表面側に、前記表示内容の色彩と異なる濃色で前記表示内容と重ね合わせて印刷された表示内容とを備え、
光源の非点灯時に、淡色で印刷された前記表示内容が前記表示部材を通して視認でき、
光源の点灯時に、濃色で印刷された前記表示内容が前記表示部材を通して視認できることを特徴とする透過照明型表示板。
【請求項３】
透明な材料で形成された表示部材と、
前記表示部材の裏面側に貼着されたシートとを有し、
前記シートは、
透明なフィルム材と、
前記フィルム材の表面側に濃色で印刷された表示内容と、
前記表示内容を覆ってフィルム材の表面側に印刷された表示板の地色と、
前記地色の上に、前記表示内容の色彩と異なる淡色で印刷された前記表示内容と異なる表示内容とを備え、
光源の非点灯時に、淡色で印刷された前記表示内容が前記表示部材を通して視認でき、
光源の点灯時に、濃色で印刷された前記表示内容が前記表示部材を通して視認できることを特徴とする透過照明型表示板。
【請求項４】
透明な材料で形成された表示部材と、
前記表示部材の裏面側に貼着されたシートとを有し、
前記シートは、
透明な第１のフィルム材と、
前記第１のフィルム材の表面側に印刷された表示板の地色と、
前記地色の上に淡色で印刷された表示内容と、
前記第１のフィルム材の裏面側に貼着された第２のフィルム材と、
前記第２のフィルム材の表面側に、前記表示内容の色彩と異なる濃色で印刷された前記表示内容と異なる表示内容とを備え、
光源の非点灯時に、淡色で印刷された前記表示内容が前記表示部材を通して視認でき、
光源の点灯時に、濃色で印刷された前記表示内容が前記表示部材を通して視認できることを特徴とする透過照明型表示板。
【請求項５】
前記表示部材は、火災通報装置に装着された操作ボタンのボタン本体であることを特徴とする請求項１乃至請求項４のいずれか１項に記載の透過照明型表示板。
【発明の詳細な説明】
【技術分野】
【０００１】
本発明は、例えば火災通報装置の操作ボタン等に使用される透過照明型表示板に関する。
【背景技術】
【０００２】
非特許文献１に開示されるように、今日、高齢者や身体の不自由な人の介護支援として、高齢者等が通報装置の緊急、相談ボタン（操作ボタン）を押すことで消防署（１１９番）や地域包括支援センター等へ通報し、万一の場合の緊急対応や相談対応等が行える緊急通報システム（ホームナースコール）が広く使用されている。
【０００３】
また、昨今、グループホーム等の小規模社会福祉施設の防火、安全対策が強化され、火災通報装置を初めとする設備の設置義務化が図られており、現在では図１０に示すような火災通報装置１がグループホーム等に設置されている。
【０００４】
この火災通報装置１は、装置本体３の正面の火災ボタン（操作ボタン）５を押すと消防署に通報でき、通報時、装置本体３内蔵のスピーカーとマイク７でハンズフリー通話ができるようになっている。
【０００５】
そして、火災通報装置１には、前記火災ボタン５に加えて相談ボタン９が設けられており、この相談ボタン９を押すと地域包括支援センター等に通報ができるようになっている。
【０００６】
而して、前記火災ボタン５は常夜灯で、図１１に示すように内部に発光ダイオード等の光源１１が装着され、夜間は図示しない点灯スイッチのＯＮ操作で光源１１が点灯して、正面視楕円形状に形成された表面の表示板（透過照明型表示板）１３が明るく透過照明されるようになっている。
【０００７】
表示板１３は、透明な樹脂製のボタン本体（表示部材）１５とその裏面側に貼着されたシート１７とを有し、図１２に示すようにシート１７は、透明な樹脂製のフィルム材２３と、フィルム材２３の表面側に白く印字された「火災」の文字１９と、フィルム材２３の裏面側に印刷された火災ボタン５の地色（赤色）２１とで構成されている。
【０００８】
そして、図１０に示すように光源１１の非点灯時に、火災ボタン５の赤い表示板１３の表面に白く印字された「火災」の文字１９が視認でき、夜間に光源１１が点灯すると、表示板１３全体が赤く照明されて、表面に「火災」の文字１９が視認できるようになっている。
【先行技術文献】
【非特許文献】
【０００９】
【非特許文献１】「緊急通報システム（ホームナースコール）」 http://jp.fujitsu.com/group/ftn/products/index-s.html 検索日：平成２１年１０月３０日
【発明の概要】
【発明が解決しようとする課題】
【００１０】
しかし乍ら、白い「火災」の文字１９の如く、シート１７に印字された表示内容の色彩が明るい色（淡色印刷）の場合、夜間に光源１１が点灯すると、光により文字１９が透けて表示内容が認識し難くなってしまう欠点があった。
【００１１】
本発明は斯かる実情に鑑み案出されたもので、前記火災通報装置の火災ボタンを初め、多くの場面で使用されるこの種の透過照明型表示板に改良を加え、光源が点灯しても、光により文字が透けることなく表示内容が視認し易い透過照明型表示板を提供することを第１の目的とする。
【００１２】
そして、本発明の第２の目的は、光源の点灯時に、表面の表示内容と異なる表示内容を表示可能とした透過照明型表示板を提供することにある。
【課題を解決するための手段】
【００１３】
斯かる目的を達成するため、請求項１に係る透過照明型表示板は、透明な材料で形成された表示部材と、前記表示部材の裏面側に貼着されたシートとを有し、前記シートは、透明なフィルム材と、前記フィルム材の表面側に濃色で印刷された表示内容と、前記表示内容を覆ってフィルム材の表面側に印刷された表示板の地色と、前記地色の上に、前記表示内容の色彩と異なる淡色で前記表示内容と重ね合わせて印刷された表示内容とを備え、光源の非点灯時に、淡色で印刷された前記表示内容が前記表示部材を通して視認でき、光源の点灯時に、濃色で印刷された前記表示内容が前記表示部材を通して視認できることを特徴とする。
【００１４】
そして、請求項２に係る透過照明型表示板は、透明な材料で形成された表示部材と、前記表示部材の裏面側に貼着されたシートとを有し、前記シートは、透明な第１のフィルム材と、前記第１のフィルム材の表面側に印刷された表示板の地色と、前記地色の上に淡色で印刷された表示内容と、前記第１のフィルム材の裏面側に貼着された第２のフィルム材と、前記第２のフィルム材の表面側に、前記表示内容の色彩と異なる濃色で前記表示内容と重ね合わせて印刷された表示内容とを備え、光源の非点灯時に、淡色で印刷された前記表示内容が前記表示部材を通して視認でき、光源の点灯時に、濃色で印刷された前記表示内容が前記表示部材を通して視認できることを特徴とする。
【００１５】
一方、請求項３に係る透過照明型表示板は、透明な材料で形成された表示部材と、前記表示部材の裏面側に貼着されたシートとを有し、前記シートは、透明なフィルム材と、前記フィルム材の表面側に濃色で印刷された表示内容と、前記表示内容を覆ってフィルム材の表面側に印刷された表示板の地色と、前記地色の上に、前記表示内容の色彩と異なる淡色で印刷された前記表示内容と異なる表示内容とを備え、光源の非点灯時に、淡色で印刷された前記表示内容が前記表示部材を通して視認でき、光源の点灯時に、濃色で印刷された前記表示内容が前記表示部材を通して視認できることを特徴とする。
【００１６】
また、請求項４に係る透過照明型表示板は、透明な材料で形成された表示部材と、前記表示部材の裏面側に貼着されたシートとを有し、前記シートは、透明な第１のフィルム材と、前記第１のフィルム材の表面側に印刷された表示板の地色と、前記地色の上に淡色で印刷された表示内容と、前記第１のフィルム材の裏面側に貼着された第２のフィルム材と、前記第２のフィルム材の表面側に、前記表示内容の色彩と異なる濃色で印刷された前記表示内容と異なる表示内容とを備え、光源の非点灯時に、淡色で印刷された前記表示内容が前記表示部材を通して視認でき、光源の点灯時に、濃色で印刷された前記表示内容が前記表示部材を通して視認できることを特徴とする。
【００１７】
そして、請求項５に係る発明は、請求項１乃至請求項４のいずれか１項に記載の透過照明型表示板に於て、前記表示部材は、火災通報装置に装着された操作ボタンのボタン本体であることを特徴とする。
【発明の効果】
【００１８】
請求項１，請求項２及び請求項５に係る発明によれば、シートの印刷内容の重ね合わせのみで、部品構成を増やすことなく、従来に比し光源の点灯時に於ける表示内容の認識が容易となる利点を有する。
【００１９】
そして、請求項３，請求項４及び請求項５に係る発明によれば、シートの印刷内容の重ね合わせのみで部品構成を増やすことなく、光源の点灯時に全く異なる表示内容を写すことが可能である。
【図面の簡単な説明】
【００２０】
【図１】請求項１及び請求項５の第一実施形態に係る透過照明型表示板の断面図である。
【図２】光源の非点灯時の火災ボタンの正面図である。
【図３】光源の点灯時の火災ボタンの正面図である。
【図４】請求項１及び請求項５の第二実施形態に係る透過照明型表示板の断面図である。
【図５】光源の非点灯時の火災ボタンの正面図である。
【図６】光源の点灯時の火災ボタンの正面図である。
【図７】請求項３及び請求項５の一実施形態に係る透過照明型表示板の断面図である。
【図８】光源の非点灯時の火災ボタンの正面図である。
【図９】光源の点灯時の火災ボタンの正面図である。
【図１０】従来の火災通報装置の正面図である。
【図１１】火災ボタンの概略構成図である。
【図１２】従来の透過照明型表示板の断面図である。
【発明を実施するための形態】
【００２１】
以下、本発明の実施形態を図面に基づいて詳細に説明する。
【００２２】
図１乃至図３は請求項１及び請求項５の第一実施形態に係る透過照明型表示板を用いた火災ボタンを示し、図１０に示す火災ボタン５に換えて火災通報装置１に装着されるものである。
【００２３】
図１に於て、２５は火災ボタン２７の正面視楕円形状に形成された透過照明型表示板（以下、「表示板」という）で、表示板２５は、透明な樹脂製のボタン本体（表示部材）２９と、ボタン本体２９の裏面側に貼着されたシート３１とで構成されている。
【００２４】
シート３１は、透明な樹脂製のフィルム材３３の表面側に、先ず、「火災」の文字３５が黒色で印字（濃色印刷）され、そして、文字３５を覆ってフィルム材３３の表面側に、火災ボタン２７の地色（赤色）３７が印刷されている。
更に、地色３７の上に、「火災」の文字３５と形状、大きさ、フォント等を一致させて「火災」の文字３９が白色で印字（淡色印刷）されており、図２に示すように光源の非点灯時には、火災ボタン２７の赤い表示板２５の表面に、白く印字された「火災」の文字３９がボタン本体２９を通して視認できるようになっている。
【００２５】
そして、夜間に光源が点灯すると、光により「火災」の文字３９が透けることなく、濃色印刷された「火災」の文字３５の影が「火災」の文字３９に重なって、図３に示すように赤く照明された表示板２５の表面に、黒く「火災」の文字４１がボタン本体２９を通して視認できるようになっている。
【００２６】
本実施形態に係る表示板２５を用いた火災ボタン２７はこのように構成されているから、図２に示すように光源の非点灯時は、白く印字された「火災」の文字３９が火災ボタン２７の赤い表示板２５の表面に視認できる。
【００２７】
そして、夜間に点灯スイッチ（図示せず）をＯＮ操作して光源を点灯させると、図３に示すように濃色印刷された「火災」の文字３５の影が「火災」の文字３９に重なって、赤く照明された表示板２５の表面に黒く「火災」の文字４１が視認できる。
【００２８】
従って、本実施形態によれば、シート３１の印刷内容の重ね合わせのみで、部品構成を増やすことなく、図１０に示す従来の火災ボタン５に比し、光源の点灯時に於ける表示内容（「火災」の文字）の認識が容易となる利点を有する。
【００２９】
図４乃至図６は請求項１及び請求項５の第二実施形態に係る透過照明型表示板を用いた火災ボタンを示し、本実施形態に係る火災ボタン４３の表示板４５は、濃色印刷した前記「火災」の文字３５に代え、光源の点灯時に「火災」の文字３９の輪郭が浮かび上がるように、これと一致させて２本の線からなる「火災」の文字４７を、黒色でフィルム材３３の表面側に印字（濃色印刷）したものである。
【００３０】
尚、ボタン本体２９やその裏面側に貼着されるシート４９の他の構成は図１の実施形態と同様であるため、同一のものには同一符号を付してそれらの説明は省略する。
【００３１】
本実施形態に係る表示板４５を用いた火災ボタン４３はこのように構成されているから、図５に示すように光源の非点灯時は、白く印字された「火災」の文字３９が火災ボタン４３の赤い表示板４５の表面に視認できる。
【００３２】
そして、夜間に点灯スイッチをＯＮ操作して光源を点灯させると、図６に示すように濃色印刷された「火災」の文字４７の影が「火災」の文字３９の輪郭と重なって、黒く輪郭が縁取られた「火災」の文字５１が、赤く照明された表示板２５の表面に視認できる。
【００３３】
従って、本実施形態によっても、前記実施形態と同様、所期の目的を達成することが可能で、シート４９の印刷内容の重ね合わせのみで部品構成を増やすことなく、図１０に示す従来例に比し、光源の点灯時に於ける表示内容（「火災」の文字）の認識が容易となる利点を有する。
【００３４】
尚、前記各実施形態のシート３１、４９に代え、図示しない請求項２に係る発明の一実施形態の如く、シートを、透明な第１のフィルム材と、第１のフィルム材の表面側に印刷された地色と、地色の上に淡色で印刷された「火災」の文字と、第１のフィルム材の裏面側に貼着された第２のフィルム材と、第２のフィルム材の表面側に濃色印刷された「火災」の文字とで構成し、シートをボタン本体の裏面側に貼着して、火災ボタンの表示板を構成してもよい。
【００３５】
而して、斯かる実施形態によっても、既述した各実施形態と同様、所期の目的を達成することが可能である。
【００３６】
図７乃至図９は請求項３及び請求項５の一実施形態に係る表示板を火災通報装置の火災ボタンに適用したもので、本実施形態に係る火災ボタン５３は、図２の火災ボタン２７と異なり、火災ボタン５３自体を押圧ＯＮ操作すると、内部の光源が点灯して火災ボタン５３自体が明るく透過照明されるようになっている。
【００３７】
以下、本実施形態を図面に基づいてに説明すると、図７に於て、５５は火災ボタン５３の正面視楕円形状に形成された表示板で、表示板５５は、透明な樹脂製のボタン本体（表示部材）２９とその裏面側に貼着されたシート５７とで構成されている。
【００３８】
シート５７は、透明な樹脂製のフィルム材３３の表面側に、先ず、図９の如き「通報中」の文字５９が黒色で印字（濃色印刷）され、そして、文字５９を覆ってフィルム材３３の表面側に、火災ボタン５３の地色（赤色）３７が印刷されている。
更に、地色３７の上に、図８の如き「火災」の文字３９が白色で印字（淡色印刷）されており、図８に示すように光源の非点灯時には、火災ボタン５３の赤い表示板５５の表面に、白く印字された「火災」の文字３９がボタン本体２９を通して視認できるようになっている。
【００３９】
そして、火災ボタン５３がＯＮ操作されて光源が点灯すると、光により「火災」の文字３９が透け、濃色印刷された「通報中」の文字５９の影が表示板５５に投影されて、図９に示すように赤く照明された表示板５５の表面に黒く「通報中」の文字６１が視認できるようになっている。
【００４０】
尚、本実施形態に於ても、火災ボタン５３のＯＮ操作で消防署に通報できるようになっている。
【００４１】
本実施形態に係る表示板５５を用いた火災ボタン５３はこのように構成されているから、図８に示すように光源の非点灯時は、白く印字された「火災」の文字３９が火災ボタン５３の赤い表示板５５の表面に視認できる。
【００４２】
そして、非常時に火災ボタン５３がＯＮ操作されて光源が点灯すると、光により「火災」の文字３９が透け、濃色印刷された「通報中」の文字５９の影が表示板５５に投影されて、図９に示すように黒く「通報中」の文字６１が赤く照明された表示板５５の表面に視認できる。
【００４３】
このように本実施形態によれば、非常時に火災ボタン５３がＯＮ操作されると、通常時と異なる「通報中」の文字６１が表示板５５にはっきりと視認できるため、消防署に通報済みであることを正確に把握、認識することができる等、ボタン操作時に全く異なる表示内容を写すことが可能である。
【００４４】
尚、前記実施形態のシート５７に代え、図示しない請求項４に係る発明の一実施形態の如く、シートを、透明な第１のフィルム材と、第１のフィルム材の表面側に印刷された地色と、地色の上に淡色で印刷された「火災」の文字と、第１のフィルム材の裏面側に貼着された第２のフィルム材と、第２のフィルム材の表面側に濃色印刷された「通報中」の文字とで構成し、シートをボタン本体の裏面側に貼着して、火災ボタンの表示板を構成してもよい。
【００４５】
而して、斯かる実施形態によっても、既述した実施形態と同様、所期の目的を達成することが可能である。
【００４６】
そして、本願の表示板は火災ボタンに限定されず、その他多くの装置で使用される表示板に適用可能であり、光源の点灯時に表示内容が見やすく、また、光源の点灯時に全く異なる表示内容を写すことが可能である。
【符号の説明】
【００４７】
２５、４５、５５・・・表示板；２７、４３、５３・・・火災ボタン；２９・・・ボタン本体（表示部材）；３１、４９、５７・・・シート；３３・・・フィルム材；３５、３９、４１、４７、５１、５９、６１・・・文字；３７・・・地色
【図１】
0005284931.tif 000002
【図２】
0005284931.tif 000003
【図３】
0005284931.tif 000004
【図４】
0005284931.tif 000005
【図５】
0005284931.tif 000006
【図６】
0005284931.tif 000007
【図７】
0005284931.tif 000008
【図８】
0005284931.tif 000009
【図９】
0005284931.tif 000010
【図１０】
0005284931.tif 000011
【図１１】
0005284931.tif 000012
【図１２】
0005284931.tif 000013